(57)【要約】【課題】スポーツ観戦において、応援の一環としてフェイスペイントや、水転写シート等にて顔面装飾方法がおこなわれていた。【解決手段】デザイン性と冷感性の効果を得る水転写シートを提供する。【選択図】      図１
2007062347.tif 000002
【特許請求の範囲】
【請求項１】
第一工程にて水浸透性印刷基材に水溶解加工を施し、第二加工にて水溶解層の上層に樹脂剤、スチレン系樹脂、アクリル系樹脂、エチルセルロース等のカバー層加工を施し、第三加工にてメントール、カンフル、酢酸トコフェロール、皮膚浸透剤、水性顔料インクを配合した冷感剤組成インクにて印刷加工を施すことを特徴とする冷感剤組成インク転写印刷物の製造及び冷感剤組成インク転写印刷物。
【請求項２】
第一工程にて水浸透性印刷基材に水溶解加工を施し、第二加工にて水溶解層の上層に樹脂剤、スチレン系樹脂、アクリル系樹脂、エチルセルロース等のカバー層加工を施し、第三加工にてメントール、カンフル、酢酸トコフェロール、皮膚浸透剤、油性顔料インクを配合した冷感剤組成インクにて印刷加工を施すことを特徴とする冷感剤組成インク転写印刷物の製造及び冷感剤組成インク転写印刷物。
【発明の詳細な説明】
【技術の分野】
【０００１】本発明は、冷感剤組成インクによる水転写シート印刷の製造及び水転写シート印刷物に関するものである。
【背景技術】
【０００２】スポーツ観戦において、応援の一環としてフェイスペイントや、水転写シート等にて顔面装飾方法がおこなわれていた。
顔面装飾方法及び体部装飾における転写シートの代用として印刷された絆創膏（特許公開番号  特開平７−６７９１、）が発明され、顔面装飾への安全性から有機溶剤転写シート（特許公開番号  特開２０００−６５９６）の発明がなされていた。
【特許文献１】特許公開番号  特開平７−６７９１
【特許文献２】特許公開番号  特開２０００−６５９６
【発明の開示】
【発明が解決しようとする課題】
【０００３】  これには次のような欠点があった。
従来、スポーツ観戦において、応援の一環としてフェイスペイントや、水転写シート等にて顔面装飾方法がおこなわれていた。【０００４】（イ）顔面装飾方法及び装飾における転写シートの代用としてデザイン印刷された絆創膏が生産されていたが販売コストの割高と在庫保管において欠点がみられた。
（ロ）顔面装飾への安全性から有機溶剤転写シートの基材の販売がなされていたが、基材の生産においては大量生産で少量生産の対応がなされていなかった。
（ハ）顔面装飾方法及び体部の装飾において効果を得た装飾方法の既存がなかった。
本発明は、これらの問題点を解決するためになされたものである。
【課題を解決するための手段】
【０００５】  本発明は、第一工程にて水浸透性印刷基材に水溶解加工を施し、第二加工にて水溶解層の上層に樹脂剤、スチレン系樹脂、アクリル系樹脂、エチルセルロース等のカバー層加工を施し、第三加工にてメントール、カンフル、酢酸トコフェロール、皮膚浸透剤、油性顔料インク又は水性顔料インクを配合した冷感剤組成インクにて印刷加工を施すことを特徴とする冷感剤組成インク転写印刷物の製造及び冷感剤組成インク転写印刷物。【０００６】以上の課題を解決するための手段により冷感剤組成インクによる転写印刷物の製造及び冷感剤組成インク転写印刷物が提供されるものである。
【発明の効果】
【０００７】本発明は、スポーツ観戦やお祭りなどにおいて、応援やファッションの一環としてフェイスペイントや、水転写シート等にて顔面及び体部装飾方法がおこなわれていたがフェイスペイントや水転写シート等において効果を得たものは既存しなかったが本発明の課題の解決によりその効果を得ることを可能とした。【０００８】第一工程にて、水浸透性印刷基材に水溶解加工を施し、第二加工にて水溶解層の上層に樹脂剤、スチレン系樹脂、アクリル系樹脂、エチルセルロース等のカバー層加工を施し、第三加工にてメントール、カンフル、酢酸トコフェロール、皮膚浸透剤、水性顔料インク又は油性顔料インクを配合した冷感剤組成インクにて印刷加工を施すことで冷感性の効果を得る水転写シートの提供ができる。【０００９】従来の打撲や捻挫、打ち身等に用いる冷感性のシップ剤の簡易的に応用されるもので本発明が印刷にて製造されるために打撲や捻挫、打ち身等に用いる冷感性のシップ剤に比較し製造コストの削減が望め長期の保存が可能である。【００１０】本発明の冷感剤組成インク転写印刷物の製造及び冷感剤組成インク転写印刷物は印刷物であることから、デザイン性と冷感性の効果を得る水転写シートの提供によりスポーツ観戦やイベント、お祭りなどにおいて応援やファッションの一環とし顔面及び体部装飾商品としての産業上の利用効果を得る。
本発明は、以上の効果を実現するものである。
【発明を実施するための最良の形態】
【００１１】  以下、本発明の実施の形態について図１乃至図５をもちいて説明する。
図１に記載されているのは、本発明、転写印刷物の製造及び転写印刷物の実施の構造を示した図で、水溶浸透性の印刷基材（１０１）でその上層に水溶解層（１０２）、樹脂剤、スチレン系樹脂、アクリル系樹脂、エチルセルロース等のカバー層（１０３）、印刷（１０４）を設けた構造を示した図である。
本発明、冷感剤組成インク転写印刷物の製造及び冷感剤組成インク転写印刷物に使用される印刷のインクはメントール、カンフル、酢酸トコフェロール、皮膚浸透剤、水性顔料インク又は油性顔料インクを配合した冷感剤組成インクにて印刷加工を施すことで、冷感性の効果を得る水転写シートの提供ができる。
また冷感剤組成インクの配分及び実験結果は下記のとおりである。
水性顔料インク（ブルー）
＊総合配分比率
メントール２０〜３０部
カンフル２０〜３０部
酢酸トコフェロール３０〜４０部
皮膚浸透剤３０〜４０部
ニコチン酸アミド２０〜３０部
ゼオライト２０〜３０部
水性顔料インク３０〜４０部
上記に記載した、冷感剤組成のメントール、カンフル、酢酸トコフェロール、皮膚浸透剤、水性顔料インク配合の配分は基材状況及び印刷条件により異なるものであり、水性顔料インク主体に下記の配合にて実験をおこなった。
実験１
水性顔料インク（ブルー）
＊水性顔料（水性化粧）にて実施
・実施配分
水性顔料インク４０％
メントール３０％
カンフル１０％
酢酸トコフェロール５％
皮膚浸透剤５％
ニコチン酸アミド５％
ゼオライト５％
印刷方法
水浸透性印刷基材に水溶解加工を施し、水溶解層の上層に樹脂剤、スチレン系樹脂、アクリル系樹脂、エチルセルロース等のカバー層に直接塗布。
乾燥方法  自然乾燥  ：部分により２〜３分で硬化。
転写方法  ：水による剥離転写。
体転写部位  ：腕内部。
体感  ：感覚的な冷感を感じる。
実験２
油性顔料インク（ブルー）
＊油性顔料（油性化粧）にて実施
実施配分
油性顔料インク３０％
メントール３０％
カンフル１０％
酢酸トコフェロール５％
皮膚浸透剤１０％
ニコチン酸アミド５％
ゼオライト５％
印刷方法
水浸透性印刷基材に水溶解加工を施し、水溶解層の上層に樹脂剤、スチレン系樹脂、アクリル系樹脂、エチルセルロース等のカバー層に直接塗布。
乾燥方法  自然乾燥  ：部分により１〜２分で硬化。
転写方法  ：水による剥離転写。
体転写部位  ：腕内部。
体感  ：感覚的な冷感を感じる。
水性顔料インクに比較し油性顔料インクは乾燥性に優れる。【００１２】図２に記載されているのは、前記図１に示した冷感剤組成インク転写印刷物の製造及び冷感剤組成インク転写印刷物の実施の分解構造を示した図である。【００１３】図３に記載されているのは、本発明冷感剤組成インク転写印刷物の製造及び冷感剤組成インク転写印刷物の実施の構造断面を示した図である。【００１４】図４に記載されているのは、本発明冷感剤組成インク転写印刷物の製造及び冷感剤組成インク転写印刷物の実施の形態を示す図で、転写印刷物の水溶浸透性の印刷基材（１０１）の背面より水（１０５）を浸透させることで、水溶解層（１０２）と印刷基材（１０１）が分離されカバー層（１０３）、印刷（１０４）が剥離され、被写体（１０６）に転写印刷（１０７）される。【００１５】図５に記載されているのは本発明冷感剤組成インク転写印刷物の製造の工程を示した図である。
以上、本発明の構成で、実施において下記に示す。【００１６】本発明の実施
本発明冷感剤組成インク転写印刷物の製造及び冷感剤組成インク転写印刷物は、スポーツ観戦やお祭りなどにおいて応援やファッションの一環としてフェイスペイントや、水転写シート等にて顔面装飾方法又は体部装飾方法がおこなわれていたがフェイスペイントや、水転写シート等において効果を得たものは既存しなかったが本発明の課題の解決とその効果を得ることを可能とした。【００１７】本発明、冷感剤組成インク転写印刷物の製造及び冷感剤組成インク転写印刷物に使用される印刷のインクはメントール、カンフル、酢酸トコフェロール、皮膚浸透剤、油性顔料インク又は水性顔料インクを配合した冷感剤組成インクにて印刷加工を施すことで冷感性の効果を得る水転写シートの提供ができる。【００１８】従来の打撲や捻挫、打ち身等に用いる冷感性のシップ剤に類似される簡易的な商品としての提供が可能で、本発明が印刷にて製造されるために打撲や捻挫、打ち身等に用いる冷感性のシップ剤に比較し製造コストの削減が望め長期の保存が可能である。【００１９】以上のことから、冷感剤組成インク転写印刷物の製造及び冷感剤組成インク転写印刷物は冷感性の効果を得る水転写シートの実現と実施が望めるものである。
また、冷感剤組成インク転写印刷物の製造及び冷感剤組成インク転写印刷物は冷感性の効果を得る水転写シートの印刷方法は、オフセット印刷、凸版印刷、スクリーン印刷等公知された印刷方法で実施されまたその利用方法においては本明細に記載されていない事項においても実施されるものである。
以上、本発明は実施される。
【産業上の利用可能性】
【００２０】本発明、冷感剤組成インク転写印刷物の製造及び冷感剤組成インク転写印刷物の実施の構造は図１で示されるよう、水溶浸透性の印刷基材（１０１）でその上層に水溶解層（１０２）、カバー層（１０３）、印刷（１０４）を設けた構造である。【００２１】本発明の冷感剤組成インク転写印刷物の製造及び冷感剤組成インク転写印刷物は印刷物であることから、デザイン性と冷感性の効果を得る水転写シートの提供により、顔面装飾方法又は体部装飾方法としてスポーツ観戦やお祭りなどにおいて応援やファッションの一環として産業上利用されるものである。
本発明は、以上の構成より産業上利用されるものである。
【図面の簡単な説明】
【００２２】
【図１】本発明冷感剤組成インク転写印刷物の実施の構造を示した図である。
【図２】本発明冷感剤組成インク転写印刷物の実施の分解構造を示した図である。
【図３】本発明冷感剤組成インク転写印刷物の実施の構造断面を示した図である。
【図４】本発明冷感剤組成インク転写印刷物の製造及び冷感剤組成インク転写印刷物の実施の形態を示す図である。
【図５】本発明冷感剤組成インク転写印刷物の製造の工程を示した図である。
【符号の説明】
【００２３】１０１．  基材
１０２．  水溶性解層
１０３．  カバー層
１０４．  印刷層
１０５．  水
１０６．  転写被写体
１０７．  転写印刷
２０．    印刷基材水溶性解加工
２０１．  カバー層形成加工
２０２．  印刷加工
２０３．  保護シート加工
【図１】
2007062347.tif 000003
【図２】
2007062347.tif 000004
【図３】
2007062347.tif 000005
【図４】
2007062347.tif 000006
【図５】
2007062347.tif 000007